(57)【特許請求の範囲】
【請求項１】
住戸外に設置されるインターホン子機との間で制御装置を介して通信し、前記インターホン子機からの第１情報と、前記インターホン子機以外からの第２情報とを受信する通信部と、
前記第１情報及び前記第２情報を記憶する記憶部と、
前記記憶部に記憶された前記第１情報及び前記第２情報を表示する表示部と、
前記表示部を制御する制御部とを備え、
前記制御部は、時間の経過を表す時間軸を前記表示部に表示させ、かつ、前記時間軸に沿って前記第１情報及び前記第２情報を時系列に並べて前記表示部に表示させることを特徴とする表示端末。
【請求項２】
前記第１情報は、来訪者の属性を表す情報を含むことを特徴とする請求項１記載の表示端末。
【請求項３】
前記第１情報は、前記インターホン子機で撮像された来訪者の映像を含んでおり、
前記制御部は、前記来訪者の前記映像を前記表示部に表示させることを特徴とする請求項１又は２記載の表示端末。
【請求項４】
前記時間軸は、時間の経過に沿った直線と、前記直線に一定時間ごとに設けられる目盛りとで構成されることを特徴とする請求項１乃至３のいずれか１項に記載の表示端末。
【請求項５】
前記制御部は、前記目盛りと共に前記目盛りに対応する時刻を前記表示部に表示させることを特徴とする請求項４記載の表示端末。
【請求項６】
前記制御部は、内側に前記第１情報及び前記第２情報が表示される表示枠を前記表示部に表示させるように構成され、
前記制御部は、隣接する前記目盛り間に前記表示枠を複数表示させる場合、前記複数の表示枠を重ねて前記表示部に表示させることを特徴とする請求項４又は５に記載の表示端末。
【請求項７】
前記制御部は、前記複数の表示枠のうち重なり合っている他の表示枠の数を示す数値を、前記複数の表示枠が表示されている領域に表示させることを特徴とする請求項６記載の表示端末。
【請求項８】
前記制御部は、前記複数の表示枠を展開表示させるための展開操作を受け付けると、前記複数の表示枠が互いに重ならないように前記表示部に表示させる展開処理を実行することを特徴とする請求項６又は７に記載の表示端末。
【請求項９】
前記制御部は、前記第１情報及び前記第２情報を拡大表示させるための拡大操作を受け付けると、前記第１情報及び前記第２情報を前記表示部の全体に表示させる拡大処理を実行することを特徴とする請求項１乃至８のいずれか１項に記載の表示端末。
【請求項１０】
前記拡大処理により表示される前記第１情報及び前記第２情報の情報量は、前記拡大処理が実行される前の前記第１情報及び前記第２情報の情報量よりも多いことを特徴とする請求項９記載の表示端末。
【請求項１１】
請求項１乃至１０のいずれか１項に記載の表示端末と、
前記インターホン子機とを備え、
前記インターホン子機は、来訪者に関する前記第１情報を前記表示端末に向けて送信することを特徴とする表示システム。
【請求項１２】
住戸外に設置されるインターホン子機との間で制御装置を介して通信し、前記インターホン子機からの第１情報と、前記インターホン子機以外からの第２情報とを受信する第１ステップと、
前記第１情報及び前記第２情報を記憶部に記憶させる第２ステップと、
時間の経過を表す時間軸を表示部に表示させ、かつ、前記時間軸に沿って前記記憶部に記憶された前記第１情報及び前記第２情報を時系列に並べて表示させる第３ステップと、
を有することを特徴とする表示端末の制御方法。
【請求項１３】
請求項１２記載の表示端末の制御方法をコンピュータに実行させるためのプログラム。
【発明の詳細な説明】
【技術分野】
【０００１】
本発明は、一般に表示端末、表示システム、表示端末の制御方法、及びプログラムに関する。より詳細には、本発明は、インターホン子機からの情報を表示する表示端末、表示システム、表示端末の制御方法、及びプログラムに関する。
【背景技術】
【０００２】
従来、インターホン子機とインターホン親機との間で通話可能なインターホンシステムが知られており、たとえば特許文献１に開示されている。特許文献１に記載のインターホンシステムは、住戸の外玄関や集合住宅の共用玄関などに設置されるインターホン子機と、住戸内に設置されてインターホン子機との間で通話を行うインターホン親機とで構成される。また、このインターホンシステムでは、インターホン子機の撮像装置で撮像された画像が、信号線を介してインターホン親機に伝送され、インターホン親機の表示部に表示される。
【先行技術文献】
【特許文献】
【０００３】
【特許文献１】特開２０１２−１５９７４号公報
【発明の概要】
【発明が解決しようとする課題】
【０００４】
ところで、上記従来例のようなインターホンシステムでは、たとえば来訪者の映像のようなインターホン子機からの情報を、ユーザが一見して把握し易いインターホン親機（表示端末）が望まれている。
【０００５】
本発明は、上記の点に鑑みてなされており、インターホン子機からの情報を、ユーザが一見して把握し易い表示端末、表示システム、表示端末の制御方法、及びプログラムを提供することを目的とする。
【課題を解決するための手段】
【０００６】
本発明の一態様に係る表示端末は、通信部と、記憶部と、表示部と、制御部とを備える。前記通信部は、住戸外に設置されるインターホン子機との間で制御装置を介して通信し、前記インターホン子機からの第１情報と、前記インターホン子機以外からの第２情報とを受信する。前記記憶部は前記第１情報及び前記第２情報を記憶する。前記表示部は、前記記憶部に記憶された前記第１情報及び前記第２情報を表示する。前記制御部は、前記表示部を制御する。前記制御部は、時間の経過を表す時間軸を前記表示部に表示させ、かつ、前記時間軸に沿って前記第１情報及び前記第２情報を時系列に並べて前記表示部に表示させる。
【０００７】
本発明の一態様に係る表示システムは、上記の表示端末と、前記インターホン子機とを備える。前記インターホン子機は、来訪者に関する前記第１情報を前記表示端末に向けて送信する。
【０００８】
本発明の一態様に係る表示端末の制御方法は、第１ステップと、第２ステップと、第３ステップとを有する。前記第１ステップは、住戸外に設置されるインターホン子機との間で制御装置を介して通信し、前記インターホン子機からの第１情報と、前記インターホン子機以外からの第２情報とを受信するステップである。前記第２ステップは、前記第１情報及び前記第２情報を記憶部に記憶させるステップである。前記第３ステップは、時間の経過を表す時間軸を表示部に表示させ、かつ、前記時間軸に沿って前記記憶部に記憶された前記第１情報及び前記第２情報を時系列に並べて表示させるステップである。
【０００９】
本発明の一態様に係るプログラムは、上記表示端末の制御方法をコンピュータに実行させる。
【発明の効果】
【００１０】
本発明は、インターホン子機からの情報を、ユーザが一見して把握し易い。
【図面の簡単な説明】
【００１１】
【図１】図１は、本発明の一実施形態に係る表示端末、及び表示システムを示すブロック図である。
【図２】図２は、同上の表示端末の動作を示すフローチャートである。
【図３】図３は、同上の表示端末の表示部に表示される第１例の一覧画面を示す図である。
【図４】図４は、同上の表示端末の表示部に表示される第１例の一覧画面において、展開処理を実行した状態を示す図である。
【図５】図５は、同上の表示端末の表示部に表示される第１例の一覧画面において、拡大処理を実行した状態を示す図である。
【図６】図６は、同上の表示端末の表示部に表示される第２例の一覧画面を示す図である。
【図７】図７は、同上の表示端末の表示部に表示される第３例の一覧画面を示す図である。
【発明を実施するための形態】
【００１２】
以下、本発明の実施形態に係る表示端末、表示システム、表示端末の制御方法、及びプログラムについて説明する。ただし、以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１３】
また、以下では、複数の来訪者Ｂ１１，Ｂ１２，…をとくに区別しない場合、複数の来訪者Ｂ１１，Ｂ１２，…の各々を「来訪者Ｂ１」という。また、以下では、複数の表示枠３３１Ａ，３３１Ｂ，…をとくに区別しない場合、複数の表示枠３３１Ａ，３３１Ｂ，…の各々を「表示枠３３１」という。さらに、以下では、情報Ｉ１１，Ｉ２１，…及び情報Ｉ１２をとくに区別しない場合、情報Ｉ１１，Ｉ２１，…及び情報Ｉ１２の各々を「情報Ｉ１」という。
【００１４】
本実施形態の表示端末３は、図１〜図３に示すように、通信部３１と、記憶部３２と、表示部３３と、制御部３４とを備えている。通信部３１は、住戸Ａ１外に設置されるインターホン子機１との間で通信することで、インターホン子機１からの情報Ｉ１を受信する。記憶部３２は情報Ｉ１を記憶する。表示部３３は、記憶部３２に記憶された情報Ｉ１を表示する。制御部３４は、表示部３３を制御する。制御部３４は、時間の経過を表す時間軸Ｔ１を表示部３３に表示させ、かつ、時間軸Ｔ１に沿って情報Ｉ１を時系列に並べて表示部３３に表示させる。
【００１５】
また、本実施形態の表示システム１００は、図１に示すように、表示端末３と、インターホン子機１とを備えている。インターホン子機１は、来訪者Ｂ１に関する情報Ｉ１を表示端末３に向けて送信する。
【００１６】
以下、本実施形態の表示端末３及び表示システム１００について詳細に説明する。本実施形態の表示システム１００は、集合住宅に用いられるインターホンシステムである。本実施形態の表示システム１００は、図１に示すように、インターホン子機１と、複数（図示では２つ）のインターホン親機２と、通信制御装置４とを備えている。本実施形態では、インターホン親機２が「表示端末３」である。
【００１７】
なお、以下では、インターホン子機１を「子機１」、インターホン親機２を「親機２」と略称することがある。また、複数の親機２の構成及び機能は同等であるので、以下では、複数の親機２のうちの１つの親機２について構成及び機能を説明する。
【００１８】
子機１は、ロビーインターホンであって、集合住宅の共用玄関（ロビー）に設置されている。複数の親機２は、それぞれ複数（図示では２つ）の住戸Ａ１内に設置されている。通信制御装置４は、集合住宅の管理室に設置されている。
【００１９】
子機１は、第１伝送路５１を介して通信制御装置４に接続されている。複数の親機２は、第２伝送路５２を介して通信制御装置４に接続されている。第２伝送路５２は、幹線５２１と、複数（図示では２本）の分岐線５２２とで構成されている。幹線５２１は、通信制御装置４に接続されている。複数の分岐線５２２は、それぞれ複数の親機２に接続されている。また、複数の分岐線５２２は、それぞれ幹線５２１から分岐している。複数の分岐線５２２の分岐点には、それぞれ複数（図示では２つ）の分岐器６が設けられている。第１伝送路５１及び第２伝送路５２は、いずれもツイストペア線である。つまり、実際には第１伝送路５１及び第２伝送路５２は二線式であるが、図面上では１本の線として表す。
【００２０】
子機１は、図１に示すように、第１制御部１１と、第１映像処理部１２と、第１表示部１３と、第１通話処理部１４と、第１操作部１５と、第１通信部１６とを備えている。
【００２１】
第１制御部１１は、ＣＰＵ（Central Processing Unit）及びメモリ等のハードウェアと、ＣＰＵで実行されるソフトウェア（プログラム）とで構成されている。第１制御部１１は、第１映像処理部１２、第１通話処理部１４、及び第１通信部１６を制御するように構成されている。具体的には、第１制御部１１は、第１通話処理部１４を制御することにより、インターホン親機２を介した住戸Ａ１のユーザ（居住者）との通話を制御する。また、第１制御部１１は、来訪者Ｂ１による第１操作部１５での操作に応じて、種々の制御（たとえば、呼出など）を実行するように構成されている。
【００２２】
第１映像処理部１２は、撮像装置１２１に接続されている。撮像装置１２１は、来訪者Ｂ１を撮像するように構成されている。撮像装置１２１は、固体撮像素子と、レンズとを備えている。固体撮像素子は、たとえばＣＭＯＳ（Complementary Metal Oxide Semiconductor）イメージセンサである。第１映像処理部１２は、撮像装置１２１の出力信号からディジタルの映像信号を生成し、生成した映像信号を第１通信部１６へ出力するように構成されている。また、第１映像処理部１２は、第１表示部１３を駆動して第１表示部１３に映像を表示させるように構成されている。
【００２３】
第１表示部１３は、たとえば液晶ディスプレイや有機ＥＬ（Electro Luminescence）ディスプレイなどの表示デバイスを備えている。第１表示部１３は、子機１の正面に画面が表示されるように設けられている。第１表示部１３は、たとえば撮像装置１２１で撮像された来訪者Ｂ１の映像の他、来訪者Ｂ１の入力した訪問先の部屋番号や、来訪者Ｂ１に対するメッセージを表示する。
【００２４】
第１通話処理部１４は、第１マイクロホン１４１と、第１スピーカ１４２とに接続されている。第１マイクロホン１４１は、来訪者Ｂ１の音声を集音し、集音した音声をアナログの音声信号（電気信号）に変換する。また、第１マイクロホン１４１は、変換したアナログの音声信号を第１通話処理部１４に出力する。第１スピーカ１４２は、第１通話処理部１４からアナログの音声信号を入力されることにより、音声を出力する。
【００２５】
第１通話処理部１４は、Ａ／Ｄ変換機能と、Ｄ／Ａ変換機能とを有している。第１通話処理部１４は、Ａ／Ｄ変換機能により、第１マイクロホン１４１からのアナログの音声信号をディジタルの音声信号に変換する。そして、第１通話処理部１４は、変換したディジタルの音声信号を第１通信部１６に出力する。また、第１通話処理部１４は、Ｄ／Ａ変換機能により、第１通信部１６からのディジタルの音声信号をアナログの音声信号に変換する。そして、第１通話処理部１４は、変換したアナログの音声信号を第１スピーカ１４２に出力する。
【００２６】
第１操作部１５は、来訪者Ｂ１の操作を受け付けるように構成されている。本実施形態では、第１操作部１５はポインティングデバイスであり、第１表示部１３と共にタッチパネルを構成している。第１操作部１５は、たとえば来訪者Ｂ１が訪問先の住戸Ａ１の部屋番号を入力するための操作領域や、来訪者Ｂ１の属性を入力するための操作領域を備えている。
【００２７】
ここで、来訪者Ｂ１の属性とは、たとえば来訪者Ｂ１の名前や、来訪者Ｂ１の居住者との関係（友人、家族、親戚、約束済みの業者など）、来訪者Ｂ１の居住者に対する用件（宅配、機器の設置工事など）といった情報を含む。また、来訪者Ｂ１の属性は、たとえば来訪者Ｂ１が第１マイクロホン１４１に向かって話すことで、音声で入力されてもよい。
【００２８】
また、第１操作部１５は、来訪者Ｂ１の操作に応じて、住戸Ａ１の居住者を呼び出すための呼出信号を第１制御部１１へ出力する。本実施形態では、第１操作部１５は、住戸Ａ１の部屋番号の入力と、来訪者Ｂ１の属性の入力とが完了すると、呼出信号を第１制御部１１へ出力する。もちろん、第１操作部１５は、居住者を呼び出すための操作領域を備えていてもよい。第１操作部１５からの呼出信号は、第１制御部１１により、第１通信部１６へ出力される。本実施形態では、来訪者Ｂ１の属性は、呼出信号に含まれる。もちろん、来訪者Ｂ１の属性は、呼出信号とは別の信号として、第１通信部１６に出力されてもよい。
【００２９】
第１操作部１５は、たとえばテンキースイッチや押釦スイッチ等のタッチパネルとは異なるハードウェアで構成されていてもよい。また、第１操作部１５は、このようなハードウェアとタッチパネルとを組み合わせて構成されていてもよい。
【００３０】
第１通信部１６は、音声信号、映像信号、呼出信号の少なくともいずれかの信号を含む通信信号を生成するように構成されている。第１通信部１６は、第１伝送路５１を介して、生成した通信信号を通信制御装置４へ送信する。通信信号は、来訪者Ｂ１が指定した住戸Ａ１の親機２に割り当てられたアドレスを含む。また、第１通信部１６は、通信制御装置４から送信された通信信号を受信する。第１通信部１６は、受信した通信信号を復調することで、ディジタルの音声信号を復元する。そして、第１通信部１６は、復元したディジタルの音声信号を第１通話処理部１４に出力する。
【００３１】
親機２は、図１に示すように、第２制御部２１と、第２映像処理部２２と、第２表示部２３と、第２通話処理部２４と、第２操作部２５と、第２通信部２６とを備えている。本実施形態では、第２通信部２６が表示端末３の通信部３１、記憶部２１１が表示端末３の記憶部３２、第２表示部２３が表示端末３の表示部３３、第２制御部２１が表示端末３の制御部３４である。
【００３２】
第２制御部２１は、ＣＰＵ及びメモリ等のハードウェアと、ＣＰＵで実行されるソフトウェア（プログラム）とで構成されている。第２制御部２１は、第２映像処理部２２、第２通話処理部２４、及び第２通信部２６を制御するように構成されている。具体的には、第２制御部２１は、インターホン子機１を介した来訪者Ｂ１との通話を制御する。また、第２制御部２１は、居住者による第２操作部２５での操作に応じて、種々の制御（たとえば、呼出に対する応答など）を実行するように構成されている。
【００３３】
また、第２制御部２１は、記憶部２１１に接続されている。記憶部２１１は、たとえばフラッシュメモリ等の読み書き可能なメモリで構成されている。記憶部２１１は、子機１からの情報Ｉ１（図３参照）を、たとえば来訪者Ｂ１の映像や訪問時刻、来訪者Ｂ１の属性と紐付けて格納する。なお、記憶部２１１は、第２制御部２１の内蔵メモリであってもよい。
【００３４】
第２映像処理部２２は、子機１からの映像信号に基づいて第２表示部２３を駆動することで、来訪者Ｂ１の映像を含む画面を第２表示部２３に表示させるように構成されている。第２表示部２３は、たとえば液晶ディスプレイや有機ＥＬディスプレイなどの表示デバイスを備えている。第２表示部２３は、親機２の正面に画面が表示されるように設けられている。
【００３５】
本実施形態では、第２表示部２３は、来訪者Ｂ１の呼出時においては、たとえば子機１からの来訪者Ｂ１の映像や来訪者Ｂ１の属性の他、現在の時刻等の居住者に向けた情報を表示する。また、本実施形態では、第２表示部２３は、居住者の操作に応じて、記憶部２１１に記憶された子機１からの情報Ｉ１を、一覧画面として表示する。一覧画面の詳細については後述する。
【００３６】
第２通話処理部２４は、第２マイクロホン２４１と、第２スピーカ２４２とに接続されている。第２マイクロホン２４１は、居住者の音声を集音し、集音した音声をアナログの音声信号（電気信号）に変換する。また、第２マイクロホン２４１は、変換したアナログの音声信号を第２通話処理部２４に出力する。第２スピーカ２４２は、第２通話処理部２４からアナログの音声信号を入力されることにより、音声を出力する。
【００３７】
第２通話処理部２４は、Ａ／Ｄ変換機能と、Ｄ／Ａ変換機能とを有している。第２通話処理部２４は、Ａ／Ｄ変換機能により、第２マイクロホン２４１からのアナログの音声信号をディジタルの音声信号に変換する。そして、第２通話処理部２４は、変換したディジタルの音声信号を第２通信部２６に出力する。また、第２通話処理部２４は、Ｄ／Ａ変換機能により、第２通信部２６からのディジタルの音声信号をアナログの音声信号に変換する。そして、第２通話処理部２４は、変換したアナログの音声信号を第２スピーカ２４２に出力する。
【００３８】
第２操作部２５は、居住者の操作を受け付けるように構成されている。本実施形態では、第２操作部２５はポインティングデバイスであり、第２表示部２３と共にタッチパネルを構成している。第２操作部２５は、たとえば子機１からの呼出に応答するための操作領域や、共用玄関のエントランスドアの電気錠を解錠するための操作領域を備えている。また、本実施形態では、第２操作部２５は、一覧画面を表示するための操作領域を備えている。
【００３９】
第２操作部２５は、たとえば押釦スイッチ等のタッチパネルとは異なるハードウェアで構成されていてもよい。また、第２操作部２５は、このようなハードウェアとタッチパネルとを組み合わせて構成されていてもよい。
【００４０】
第２通信部２６は、音声信号を含む通信信号を生成するように構成されている。第２通信部２６は、第２伝送路５２を介して、生成した通信信号を通信制御装置４へ送信する。また、第２通信部２６は、通信制御装置４から送信された通信信号を受信する。第２通信部２６は、受信した通信信号を復調することで、ディジタルの音声信号を復元する。そして、第２通信部２６は、復元したディジタルの音声信号を第２通話処理部２４に出力する。
【００４１】
通信制御装置４は、図１に示すように、制御部４１と、伝送処理部４２とを備えている。制御部４１は、ＣＰＵ及びメモリ等のハードウェアと、ＣＰＵで実行されるソフトウェア（プログラム）とで構成されている。制御部４１は、伝送処理部４２を制御するように構成されている。また、制御部４１の内蔵するメモリには、データテーブルが記憶されている。データテーブルは、各住戸Ａ１の親機２に割り当てられたアドレスと、住戸Ａ１の部屋番号とを紐付けたテーブルである。
【００４２】
伝送処理部４２は、第１伝送路５１を介して、子機１の第１通信部１６に接続されている。また、伝送処理部４２は、第２伝送路５２を介して、複数の親機２の第２通信部２６に接続されている。伝送処理部４２は、第１通信部１６から送信される通信信号を受信する。そして、伝送処理部４２は、受信した通信信号に含まれるアドレスに対応する住戸Ａ１の親機２に向けて、当該通信信号を送信する。また、伝送処理部４２は、第２通信部２６から送信される通信信号を受信し、受信した通信信号を子機１に向けて送信する。つまり、通信制御装置４は、来訪者Ｂ１に呼び出された住戸Ａ１の親機２と子機１とを接続し、両者間での通信（通話）を中継する。
【００４３】
以下、本実施形態の表示端末３（インターホン親機２）の動作について図２〜図５を用いて説明する。図２に示すように、通信部３１（第２通信部２６）は、たとえば来訪者Ｂ１の来訪ごとに、子機１からの情報Ｉ１を受信する（ステップＳ１０１）。そして、制御部３４（第２制御部２１）は、受信した子機１からの情報Ｉ１を記憶部３２（記憶部２１１）に記憶させる（ステップＳ１０２）。上記のステップＳ１０１，Ｓ１０２は、第２操作部２５において一覧画面を表示するための操作入力を受け付けるまで繰り返される（ステップＳ１０３の「Ｎｏ」）。
【００４４】
第２操作部２５が一覧画面を表示するための操作入力を受け付けると（ステップＳ１０３の「Ｙｅｓ」）、制御部３４は、一覧画面を表示部３３（第２表示部２３）に表示させる（ステップＳ１０４）。以下では、表示部３３は、図３に示す第１例の一覧画面を表示すると仮定する。
【００４５】
表示部３３が表示する第１例の一覧画面を図３に示す。第１例では、表示部３３は、時間の経過を表す時間軸Ｔ１を画面の中央に表示している。時間軸Ｔ１は、時間の経過に沿った直線Ｔ１１と、直線Ｔ１１に一定時間（ここでは、１時間）ごとに設けられる複数の目盛りＴ１２とで構成されている。直線Ｔ１１は、画面の中央において、画面の長手方向（図３の左右方向）に沿って設けられている。複数の目盛りＴ１２の各々の下側には、対応する時刻を表す数字が表示されている。また、直線Ｔ１には、現在の時刻を示す円形状の指標Ｔ２が表示されている。
【００４６】
表示部３３は、時間軸Ｔ１に沿って複数の表示枠３３１（ここでは、３つの表示枠３３１Ａ，３３１Ｂ，３３１Ｃ）を時系列に並べて表示している。
【００４７】
表示枠３３１Ａは、矩形状であって、１８時〜１９時の間において時間軸Ｔ１の上側に位置するように表示されている。また、表示枠３３１Ａの内側には、来訪者Ｂ１（ここでは、来訪者Ｂ１１）である宅配業者の情報Ｉ１１が表示されている。ここでは、情報Ｉ１１として、来訪者Ｂ１１の映像（静止画像）と、来訪者Ｂ１１の属性（ここでは、来訪者Ｂ１１の用件である「宅配」）とが表示されている。
【００４８】
表示枠３３１Ｂは、矩形状であって、２０時〜２１時の間において時間軸Ｔ１の上側に位置するように表示されている。また、表示枠３３１Ｂの内側には、来訪者Ｂ１（ここでは、来訪者Ｂ１２）である居住者夫婦の友人の家族の情報Ｉ２１が表示されている。ここでは、情報Ｉ２１として、来訪者Ｂ１２の映像（静止画像）と、来訪者Ｂ１２の属性（ここでは、来訪者Ｂ１２の居住者との関係である「友人」）とが表示されている。
【００４９】
表示枠３３１Ｃは、水滴のような形状であって、１４時〜１５時の間において時間軸Ｔ１の下側に位置するように表示されている。また、表示枠３３１Ｃの内側には、情報Ｉ３１が表示されている。ここでは、情報Ｉ３１として、管理会社からの通知がある旨を知らせる文字列が表示されている。なお、情報Ｉ３１は、子機１からの情報ではなく、第１伝送路５１及び第２伝送路５２以外のネットワークを介して外部装置（たとえば、サーバ）から表示端末３に向けて発信される情報である。
【００５０】
つまり、表示部３３は、時間軸Ｔ１に沿って情報Ｉ１を時系列に並べて表示している。なお、情報Ｉ３１は、子機１以外からの情報であるため、厳密には情報Ｉ１に含まれない。ここでは、便宜上、情報Ｉ３１のような子機１以外からの情報も情報Ｉ１に含めて説明する。
【００５１】
ここで、第１例の一覧画面では、２０時〜２１時の間において、複数（ここでは、３つ）の表示枠３３１が重なって表示されている。このため、一覧画面には、複数の表示枠３３１のうち表示枠３３１Ｂのみが、居住者が視認できる形で表示されている。そして、表示枠３３１Ｂの右上の円形状の表示領域３３２には、重なり合っている他の表示枠３３１の数を表す数値（ここでは、「２」）が表示されている。
【００５２】
たとえば居住者は、２０時〜２１時の間において重なり合っている他の表示枠３３１を確認したい場合、表示領域３３２を押す。この表示領域３３２を押す操作は、複数の表示枠３３１を展開させるための展開操作である。制御部３４は、展開操作を受け付けると、展開処理を実行する。展開処理とは、複数の表示枠３３１が互いに重ならないように表示部３３に表示させる処理である。
【００５３】
展開処理により、表示部３３には、たとえば図４に示すように、２０時〜２１時の間において重なり合っている他の表示枠３３１（ここでは、表示枠３３１Ｄ，３３１Ｅ）が、互いに重ならないように表示される。
【００５４】
表示枠３３１Ｄは、円形状であって、表示領域３３２の右側に表示される。また、表示枠３３１Ｄの内側には、来訪者Ｂ１（ここでは、来訪者Ｂ１３）である居住者（夫）の友人の情報Ｉ４１が表示される。ここでは、情報Ｉ４１として、来訪者Ｂ１３の映像（静止画像）が表示される。
【００５５】
表示枠３３１Ｅは、円形状であって、表示領域３３２の上側に表示される。また、表示枠３３１Ｅの内側には、来訪者Ｂ１（ここでは、来訪者Ｂ１４）である居住者（妻）の友人の情報Ｉ５１が表示される。ここでは、情報Ｉ５１として、来訪者Ｂ１４の映像（静止画像）が表示される。
【００５６】
また、たとえば居住者は、複数の情報Ｉ１のうちいずれかの情報Ｉ１を拡大して表示させたい場合、拡大対象の表示枠３３１（ここでは、表示枠３３１Ａ）を押す。この表示枠３３１を押す操作は、情報Ｉ１を拡大表示させるための拡大操作である。制御部３４は、拡大操作を受け付けると、拡大処理を実行する。拡大処理とは、情報Ｉ１を表示部３３の全体に表示させる処理である。
【００５７】
拡大処理により、たとえば図５に示すように、表示枠３３１Ａが表示部３３の全体に表示される。言い換えれば、拡大処理により、表示部３３には、情報Ｉ１２が表示される。表示部３３には、第１表示領域２３１と、第２表示領域２３２と、第３表示領域２３３とが表示される。第１表示領域２３１には、来訪者Ｂ１１の顔だけでなく、来訪者Ｂ１１の上半身を含めた周囲の映像が表示される。第２表示領域２３２は、第１表示領域２３１の下部に位置する領域である。第２表示領域２３２には、来訪者Ｂ１１が訪れた時刻と、来訪者Ｂ１１の属性（ここでは、来訪者Ｂ１１の用件である「宅配」）とが表示される。
【００５８】
第３表示領域２３３は、来訪者Ｂ１１の左隣に位置する領域である。第３表示領域２３３には、来訪者Ｂ１１の識別情報が表示される。ここで、本実施形態では、制御部３４は、来訪者Ｂ１の映像と、記憶部２１１に既に記憶してある来訪者Ｂ１の映像とを比較することで、来訪者Ｂ１が既知の来訪者であるか否かを識別する。たとえば図５に示すように、来訪者Ｂ１１が既知の宅配業者であった場合、制御部３４は、既知の宅配業者であることを示す表示（たとえば、「○○宅配便」など）を第３表示領域２３３に表示させる。もちろん、制御部３４が来訪者Ｂ１の識別機能を有するか否かは任意である。
【００５９】
このように、拡大処理により表示される情報Ｉ１２（Ｉ１）の情報量は、拡大処理が実行される前の情報Ｉ１１（Ｉ１）の情報量よりも多くなっている。
【００６０】
そして、制御部３４は、一定時間（たとえば、数分間）、居住者からの操作入力を受け付けなければ、一覧画面の表示を終了させる。その後、次に第２操作部２５において一覧画面を表示するための操作入力を受け付けるまで、上記のステップＳ１０１，Ｓ１０２を繰り返す。もちろん、制御部３４は、居住者からの特定の操作入力を受け付けることで、一覧画面の表示を終了させてもよい。
【００６１】
上述のように、本実施形態の表示端末３（インターホン親機２）及び表示システム１００では、制御部３４（第２制御部２１）は、時間の経過を表す時間軸Ｔ１を表示部３３（第２表示部２３）に表示させている。かつ、制御部３４は、時間軸Ｔ１に沿って情報Ｉ１を時系列に並べて表示部３３に表示させている。つまり、本実施形態の表示端末３及び表示システム１００では、制御部３４は、記憶部２１１に記憶されたインターホン子機１からの情報Ｉ１の履歴を、一覧画面として表示部３３に表示させている。このため、本実施形態の表示端末３及び表示システム１００では、ユーザ（居住者）は、一覧画面を見るだけでインターホン子機１からの情報Ｉ１の履歴の概略を確認することができる。つまり、本実施形態の表示端末３及び表示システム１００では、インターホン子機１からの情報を、ユーザが一見して把握し易い。
【００６２】
また、本実施形態の表示端末３では、情報Ｉ１は、来訪者Ｂ１の属性を表す情報を含んでいる。このため、本実施形態の表示端末３では、ユーザは、表示部３３を見ることで、どのような来訪者Ｂ１が訪れたのかを一見して把握し易い。なお、情報Ｉ１が来訪者Ｂ１の属性であるか否かは任意である。
【００６３】
また、本実施形態の表示端末３では、情報Ｉ１は、インターホン子機１で撮像された来訪者Ｂ１の映像を含んでいる。そして、制御部３４は、来訪者Ｂ１の映像を表示部３３に表示させる。この構成では、ユーザは、実際の来訪者Ｂ１の映像を表示部３３で見ることができるので、どのような来訪者Ｂ１が訪れたのかを一見して把握し易い。なお、当該構成を採用するか否かは任意である。
【００６４】
また、本実施形態の表示端末３では、時間軸Ｔ１は、時間の経過に沿った直線Ｔ１１と、直線Ｔ１１に一定時間ごとに設けられる目盛りＴ１２とで構成されている。この構成では、時間軸Ｔ１が直線Ｔ１１及び目盛りＴ１２を備えない場合と比較して、ユーザは、インターホン子機１からの情報Ｉ１が発生した時刻を一見して把握し易い。なお、時間軸Ｔ１が直線Ｔ１１及び目盛りＴ１２の両方を備えるか否かは任意である。たとえば時間軸Ｔ１は、直線Ｔ１１のみで構成されていてもよいし、目盛りＴ１２のみで構成されていてもよい。
【００６５】
また、本実施形態の表示端末３では、制御部３４は、目盛りＴ１２と共に目盛りＴ１２に対応する時刻を表示部３３に表示させている。この構成では、ユーザは、インターホン子機１からの情報Ｉ１が発生した時刻をより把握し易い。なお、当該構成を採用するか否かは任意である。
【００６６】
また、本実施形態の表示端末３では、制御部３４は、内側に情報Ｉ１が表示される表示枠３３１を表示部３３に表示させるように構成されている。そして、制御部３４は、隣接する目盛りＴ１２間に表示枠３３１を複数表示させる場合、複数の表示枠３３１を重ねて表示部３３に表示させている。この構成では、複数の表示枠３３１を全て重ねずに表示部３３に表示させる場合と比較して、表示部３３の画面構成が整理される。このため、ユーザは、インターホン子機１からの情報Ｉ１を一見して把握し易い。なお、当該構成を採用するか否かは任意である。
【００６７】
また、本実施形態の表示端末３では、制御部３４は、複数の表示枠３３１のうち重なり合っている他の表示枠３３１の数を示す数値を、複数の表示枠３３１が表示されている領域に表示させている。この構成では、ユーザは、表示部３３に表示されていない他の表示枠３３１の数を一見して把握し易い。なお、当該構成を採用するか否かは任意である。
【００６８】
また、本実施形態の表示端末３では、制御部３４は、複数の表示枠３３１を展開表示させるための展開操作を受け付けると、複数の表示枠３３１が互いに重ならないように表示部３３に表示させる展開処理を実行する。この構成では、ユーザは、インターホン子機１からの情報Ｉ１を、複数の表示枠３３１が重ならない状態で見ることができるので、一見して把握し易い。なお、当該構成を採用するか否かは任意である。
【００６９】
また、本実施形態の表示端末３では、制御部３４は、情報Ｉ１を拡大表示させるための拡大操作を受け付けると、情報Ｉ１を表示部３３の全体に表示させる拡大処理を実行する。この構成では、ユーザは、指定した表示枠３３１を拡大することで、インターホン子機１からの情報Ｉ１を大きい画面で確認することができる。なお、当該構成を採用するか否かは任意である。
【００７０】
また、本実施形態の表示端末３では、拡大処理により表示される情報Ｉ１２（Ｉ１）の情報量は、拡大処理が実行される前の情報Ｉ１１（Ｉ１）の情報量よりも多い。この構成では、ユーザは、指定した表示枠３３１に表示されているインターホン子機１からの情報Ｉ１の詳細を確認することができる。なお、当該構成を採用するか否かは任意である。
【００７１】
ところで、制御部３４は、第１例の一覧画面の代わりに、第２例の一覧画面を表示部３３に表示させてもよい。表示部３３が表示する第２例の一覧画面を図６に示す。なお、以下では、第１例の一覧画面と共通する点については、説明を省略する。
【００７２】
第２例では、表示部３３は、時間軸Ｔ１として直線Ｔ１１のみを表示している。つまり、第２例では、表示部３３は、複数の目盛りＴ１２と、複数の目盛りＴ１２の各々に対応する時刻の数字とを表示しない。また、第２例では、表示部３３は、複数の表示枠３３１（ここでは、表示枠３３１Ａ，３３１Ｂ，３３１Ｆ，３３１Ｃ）を時間軸Ｔ１に沿って時系列に並べて表示している。また、第２例では、複数の表示枠３３１の各々において、情報Ｉ１（ここでは、情報Ｉ１１，Ｉ２１，Ｉ６１，Ｉ３１）の発生した時刻も併せて表示されている。
【００７３】
表示枠３３１Ｆは、水滴のような形状である。表示枠３３１Ｆの内側には、情報Ｉ６１が表示されている。ここでは、情報Ｉ６１として、ガス漏れがある旨を知らせる文字列と、エクスクラメーション・マークとが表示されている。なお、情報Ｉ６１は、子機１からの情報ではなく、第１伝送路５１及び第２伝送路５２以外のネットワークを介して外部装置（たとえば、ガス警報器）から表示端末３に向けて発信される情報である。つまり、情報Ｉ６１は、情報Ｉ３１と同様に、子機１以外からの情報である。
【００７４】
上述のように、表示部３３は、時間軸Ｔ１として直線Ｔ１１のみを表示してもよい。その他、表示部３３は、時間軸Ｔ１として複数の目盛りＴ１２のみを表示してもよい。つまり、時間軸Ｔ１は、インターホン子機１からの情報Ｉ１を時系列に並べて表示するための基準を示す態様で、表示部３３に表示されていればよい。
【００７５】
また、制御部３４は、第１例及び第２例の一覧画面の代わりに、第３例の一覧画面を表示部３３に表示させてもよい。表示部３３が表示する第３例の一覧画面を図７に示す。なお、以下では、第１例及び第２例の一覧画面と共通する点については、説明を省略する。
【００７６】
第３例では、表示部３３は、複数の表示枠３３１（ここでは、表示枠３３１Ａ，３３１Ｃ，３３１Ｄ，３３１Ｅ，３３１Ｆ，３３１Ｇ，３３１Ｈ）を時間軸Ｔ１に沿って時系列に並べて表示している。
【００７７】
表示枠３３１Ａ，３３１Ｄ，３３１Ｅ，３３１Ｇは、いずれも円形状であり、各々の内側には、来訪者Ｂ１の映像（静止画像）のみが表示されている。表示枠３３１Ｇの内側には、来訪者Ｂ１（ここでは、来訪者Ｂ１５）である居住者（娘）の友人の情報Ｉ７１が表示されている。また、表示枠３３１Ａ，３３１Ｄ，３３１Ｅ，３３１Ｇは、いずれも時間軸Ｔ１の上側に表示されている。
【００７８】
表示枠３３１Ｃ，３３１Ｆ，３３１Ｈは、いずれも時間軸Ｔ１の下側に表示されている。表示枠３３１Ｈは、水滴のような形状であって、その内側には情報Ｉ８１が表示されている。ここでは、情報Ｉ８１として、来訪者Ｂ１（ここでは、来訪者Ｂ１６）である不審者の映像（静止画像）と、エクスクラメーション・マークとが表示されている。本実施形態では、制御部３４は、たとえば来訪者Ｂ１が子機１の前で何の入力も行わずに一定時間（たとえば、５秒）撮像された場合、この来訪者Ｂ１の属性を不審者として記憶部２１１に記憶させる。もちろん、制御部３４が不審者を識別する機能を有するか否かは任意である。
【００７９】
また、第３例では、表示部３３は、１４時〜１５時の間において、複数の表示枠３３１（ここでは、表示枠３３１Ａ，３３１Ｄ，３３１Ｅ）を縦方向（図７における上下方向）に並べて表示している。つまり、第３例では、居住者が展開操作を行う必要がない。
【００８０】
第１例及び第３例のように、情報Ｉ１は、その内容に応じて、時間軸Ｔ１の上側と下側とに分けて表示されるのが好ましい。本実施形態では、制御部３４は、居住者の友人、家族等の来訪者Ｂ１の属性を示す情報は、時間軸Ｔ１の上側に位置するように表示部３３に表示させている。また、制御部３４は、ガス漏れや管理会社からの通知、及び不審者の来訪の通知等のユーザに注意を促す情報は、時間軸Ｔ１の下側に位置するように表示部３３に表示させている。この構成では、ユーザは、表示部３３を一見するだけで、情報Ｉ１をある程度区分けして把握することが可能である。
【００８１】
ところで、本実施形態では、子機１は、来訪者Ｂ１の属性の入力を受け付ける構成であるが、このような構成を備えるか否かは任意である。つまり、制御部３４が情報Ｉ１として来訪者Ｂ１の属性を表示部３３に表示させるか否かは任意である。
【００８２】
また、表示枠３３１は、情報Ｉ１の発生時点においてユーザが応対した場合と、応対しなかった場合とで異なる態様で表示されるのが好ましい。たとえば制御部３４は、ユーザが応対した場合には表示枠３３１を黒色で表示させ、応対しなかった場合には表示枠３３１を青色で表示させてもよい。その他、制御部３４は、ユーザが応対した場合には表示枠３３１を実線で表示させ、応対しなかった場合には表示枠３３１を破線で表示させてもよい。
【００８３】
その他、表示枠３３１は、ユーザが情報Ｉ１を確認した場合と確認していない場合とで異なる態様で表示されるのが好ましい。言い換えれば、表示枠３３１は、既読と未読とで異なる態様で表示されるのが好ましい。たとえば制御部３４は、ユーザが拡大操作することにより情報Ｉ１の詳細を確認すると、当該情報Ｉ１に対応する表示枠３３１を灰色で表示させてもよい。
【００８４】
また、本実施形態では、表示部３３は、情報Ｉ３１，Ｉ６１のような子機１以外からの情報として、たとえば電力の使用量や水道の使用量の他、地域の防犯情報等も表示するように構成されていてもよい。その他、表示部３３は、子機１以外からの情報として、たとえば集合住宅の共用玄関や、共用玄関の外などに設置されている宅配ボックスに関する情報等も表示するように構成されていてもよい。この構成では、制御部３４は、通信制御装置４から送信される宅配ボックスに関する情報を通信部３１を介して受信すると、宅配ボックスに関する情報を表示部３３に表示させる。宅配ボックスに関する情報は、たとえば宅配ボックスに荷物が届いた旨を知らせる着荷情報や、宅配ボックスに荷物が入ったままである旨を知らせる情報などである。その他、宅配ボックスが郵便ポストと一体であれば、表示部３３は、郵便物が届いた旨を知らせる情報や、郵便ポストに郵便物が入ったままである旨を知らせる情報等も表示するように構成されていてもよい。
【００８５】
また、本実施形態の表示端末３は、インターホン親機２であるが、他の構成であってもよい。たとえば、表示端末３は、インターホン親機２とは別に設けられていてもよい。この場合、表示端末３は、インターホン子機１からの情報Ｉ１を受信して、情報Ｉ１を表示する。なお、表示端末３は、インターホン親機２を介して、間接的にインターホン子機１から情報Ｉ１を受信してもよい。
【００８６】
また、表示端末３は、たとえばスマートホンやタブレット等の携帯端末であってもよいし、パーソナルコンピュータ（以下、「パソコン」という）のディスプレイであってもよい。表示端末３がパソコンのディスプレイで構成されている場合、ユーザは、たとえばマウス等のポインティングデバイスを用いて展開操作や拡大操作を行う。もちろん、ディスプレイがタッチパネル方式であれば、ユーザは、ディスプレイに触れることで展開操作や拡大操作を行うことが可能である。
【００８７】
また、本実施形態の表示端末３では、制御部３４は、ユーザの入力を受け付けると一覧画面を表示部３３に表示させているが、他の構成であってもよい。たとえば制御部３４は、ユーザの入力に依らず、常に一覧画面を表示部３３に表示させてもよい。
【００８８】
また、本実施形態では、表示部３３に表示される来訪者Ｂ１の映像は静止画像であるが、動画であってもよい。
【００８９】
また、本実施形態では、ロビーインターホンがインターホン子機１であるが、他の構成であってもよい。たとえば、共用玄関にロビーインターホンを備えない場合、各住戸Ａ１の外玄関に設置されているドアホン子器がインターホン子機１であってもよい。また、本実施形態の表示システム１００は、たとえば戸建住宅にも採用することが可能である。この場合、インターホン子機１が玄関又は玄関先に設置され、表示端末３が住宅内に設置される。つまり、本実施形態の表示システム１００では、インターホン子機１が住戸（又は住宅）外に設置されていればよい。
【００９０】
（方法及びプログラム）
以下の表示端末３の制御方法を採用することで、本実施形態の表示端末３と同等の機能を実現できる。
【００９１】
つまり、表示端末３の制御方法は、図２に示すように、第１ステップＳ１と、第２ステップＳ２と、第３ステップＳ３とを有している。
【００９２】
第１ステップＳ１は、住戸Ａ１外に設置されるインターホン子機１との間で通信することで、インターホン子機１からの情報Ｉ１を受信するステップである。第１ステップＳ１は、ステップＳ１０１に相当する。第２ステップＳ２は、情報Ｉ１を記憶部３２に記憶させるステップである。第２ステップＳ２は、ステップＳ１０２に相当する。第３ステップＳ３は、時間の経過を表す時間軸Ｔ１を表示部３３に表示させ、かつ、時間軸Ｔ１に沿って記憶部３２に記憶された情報Ｉ１を時系列に並べて表示部３３に表示させるステップである。第３ステップＳ３は、ステップＳ１０４に相当する。
【００９３】
また、所定のプログラムによれば、上記表示端末３の制御方法を、コンピュータに実行させることができる。言い換えれば、ここでいうプログラムは、表示端末３の制御方法をコンピュータに実行させるためのプログラムである。つまり、上記表示端末３の制御方法は、第１ステップＳ１、第２ステップＳ２、及び第３ステップＳ３を、コンピュータに行わせる方法である。プログラムは、コンピュータのメモリに予め記録されていてもよいが、この例に限らず、電気通信回線を通じて提供されてもよいし、メモリカードなどの記録媒体に記録されて提供されてもよい。
【符号の説明】
【００９４】
１  インターホン子機
３３１，３３１Ａ，…  表示枠
３  表示端末
３１  通信部
３２  記憶部
３３  表示部
３４  制御部
１００  表示システム
Ａ１  住戸
Ｂ１，Ｂ１１，…  来訪者
Ｉ１，Ｉ１１，…，Ｉ１２  情報
Ｔ１  時間軸
Ｔ１１  直線
Ｔ１２  目盛り
【図１】
0006678317.tif 000002
【図２】
0006678317.tif 000003
【図３】
0006678317.tif 000004
【図４】
0006678317.tif 000005
【図５】
0006678317.tif 000006
【図６】
0006678317.tif 000007
【図７】
0006678317.tif 000008